(57)【要約】【課題】１の読取機能において使用可能な機能が原稿の供給方法に応じて異なる場合であっても、ユーザが各機能を使い易い画像読取装置を提供すること。【解決手段】本発明によれば、切替部による切り替えによって原稿が第１の供給方法で供給される場合、当該第１の供給方法で供給される原稿の読取部による読み取りに係る第１画面が表示部に表示される一方で、切替部による切り替えによって原稿が第２の供給方法で供給される場合、当該第２の供給方法で供給される原稿の読取部による読み取りに係る第２画面が表示部に表示される。よって、原稿の供給方法に応じた画面（第１画面または第２画面）が表示されるので、１の読取機能において使用可能な機能が原稿の供給方法に応じて異なる場合、ユーザは各機能を使い易い。【選択図】図５
2014086960.tif 000002
【特許請求の範囲】
【請求項１】
第１の供給方法または前記第１の供給方法とは異なる第２の供給方法によって供給される原稿をそれぞれ読み取り可能な読取部と、
前記第１の供給方法と前記第２の供給方法とを切り替える切替部と、
表示部と、
制御部とを備え、
前記制御部は、
前記切替部による切り替えによって原稿が前記第１の供給方法で供給される場合、当該第１の供給方法で供給される原稿の前記読取部による読み取りに係る第１画面を前記表示部に表示させる一方で、前記切替部による切り替えによって原稿が前記第２の供給方法で供給される場合、当該第２の供給方法で供給される原稿の前記読取部による読み取りに係る、前記第１画面と異なる第２画面を前記表示部に表示させる表示制御手段、
を備えていることを特徴とする画像読取装置。
【請求項２】
原稿を前記読取部へ搬送する第１経路と、
原稿を前記読取部へ搬送する第２経路と、
を備え、
前記第１の供給方法は、前記第１経路を搬送させることであり、
前記第２の供給方法は、前記第２経路を搬送させることであり、
前記読取部は、前記第１経路または前記第２経路を搬送される原稿を読み取るものであり、
前記切替部は、前記読取部による読み取り対象の原稿の搬送経路を、前記第１経路と前記第２経路とで切り替えるためのものであり、
前記表示制御手段は、前記切替部による切り替えによって原稿が前記第１経路を搬送される場合、前記第１画面を前記表示部に表示させる一方で、前記切替部による切り替えによって原稿が前記第２経路を搬送される場合、前記第２画面を前記表示部に表示させることを特徴とする請求項１記載の画像読取装置。
【請求項３】
前記第１画面は、原稿が前記第１経路を搬送される場合に使用可能な機能の実行に係る操作を行う画面であり、
前記第２画面は、原稿が前記第２経路を搬送される場合に使用可能な機能の実行に係る操作を行う画面であることを特徴とする請求項２記載の画像読取装置。
【請求項４】
前記切替部による切り替えを検知する検知部を備え、
前記読取部による原稿の読み取り機能を使用した複数の他の機能を実行可能に構成され、
前記第１画面は、ツリー構造に構成された、前記第１経路を搬送される原稿の前記読取部による読み取りに係る画面群から構成され、
前記第２画面は、ツリー構造に構成された、前記第２経路を搬送される原稿の前記読取部による読み取りに係る画面群から構成され、
前記表示制御手段は、前記切替部による搬送経路の切り替えが前記検知部により検知され、当該切り替えによって原稿が前記第１経路を搬送される場合には、前記第１画面を構成するツリー構造の画面群のうち、最上位の画面を前記表示部に表示させる一方で、前記切替部による搬送経路の切り替えが前記検知部により検知され、当該切り替えによって原稿が前記第２経路を搬送される場合には、前記第２画面を構成するツリー構造の画面群のうち、最上位の画面を前記表示部に表示させ、
前記第１画面および前記第２画面のうち、少なくとも一方の画面における最上位の画面は、当該画面に対応する搬送経路を搬送される原稿が前記読取部によって読み取られる場合にのみ実行可能な機能に係る操作子を含むことを特徴とする請求項３記載の画像読取装置。
【請求項５】
前記第１画面は、前記第１経路を搬送される原稿の前記読取部による読み取りに係る読取設定値を設定させる設定画面を含み、
前記表示制御手段は、前記第１画面に属する設定画面が表示される場合、前記切替部による搬送経路の切り替えが前記検知部により検知されても、前記第２画面を前記表示部に表示させないことを特徴とする請求項１から４のいずれかに記載の画像読取装置。
【請求項６】
開閉可能に設けられたカバーと、
前記カバーが開かれた状態において露出し、前記カバーが閉じられた状態において露出することなく当該カバーに対向する位置に設けられた第１操作子と、
前記切替部による切り替えを検知する検知部と、
を備え、
前記切替部は、前記カバーであり、前記カバーが閉じられたことが検知部により検知された場合に、原稿の搬送経路を前記第１経路に切り替え、前記カバーが開かれたことが検知部により検知された場合に、原稿の搬送経路を前記第２経路に切り替え、
前記第１操作子は、前記読取設定値を設定する場合に使用可能な操作子を含み、
前記第１画面は、前記設定画面を表示させるための第２操作子を含み、
前記表示制御手段は、前記第２操作子が操作されたことを条件として、前記カバーによる搬送経路の切り替えが前記検知部により検知されても、前記第２画面を前記表示部に表示させないことを特徴とする請求項５記載の画像読取装置。
【請求項７】
前記読取設定値を設定する場合に使用可能な操作子は、前記第１経路を搬送される原稿の前記読取部による読み取りに係る読取設定値を設定する場合と、前記第２経路を搬送される原稿の前記読取部による読み取りに係る読取設定値を設定する場合との両方に共通して使用可能な操作子であることを特徴とする請求項６記載の画像読取装置。
【請求項８】
開閉可能に設けられたカバーと、
前記カバーが開かれた状態において露出し、前記カバーが閉じられた状態において露出することなく当該カバーに対向する位置に設けられた第１操作子と、
前記切替部による切り替えを検知する検知部と、
を備え、
前記切替部は、前記カバーであり、前記カバーが閉じられたことが検知部により検知された場合に、原稿の搬送経路を第１経路に切り替え、前記カバーが開かれたことが検知部により検知された場合に、原稿の搬送経路を第２経路に切り替え、
前記第１操作子は、エラーを解除するための第１の解除操作子を含み、
前記表示制御手段は、前記カバーが閉じられた状態でエラーが発生した場合、エラーを解除するための操作子であって、前記第１の解除操作子とは異なる操作子である第２の解除操作子を含むエラー画面を前記表示部に表示させる一方、前記カバーが開かれた状態でエラーが発生した場合、前記第２の解除操作子を含まないエラー画面を前記表示部に表示させることを特徴とする請求項１から７のいずれかに記載の画像読取装置。
【請求項９】
前記表示制御手段は、前記カバーが閉じられた状態でエラーが発生したことによって前記第２の解除操作子を含むエラー画面を表示させた後、前記カバーが開かれたことが検知部により検知された場合、前記第２の解除操作子を含むエラー画面の表示を維持させることを特徴とする請求項８記載の画像読取装置。
【請求項１０】
前記第１画面は、ツリー構造に構成された、前記第１経路を搬送される原稿の前記読取部による読み取りに係る画面群から構成され、
前記第２画面は、ツリー構造に構成された、前記第２経路を搬送される原稿の前記読取部による読み取りに係る画面群から構成され、
前記表示制御手段は、前記第２の解除操作子が操作された場合には、前記第１画面を構成するツリー構造の画面群のうち、最上位の画面を前記表示部に表示させる一方で、前記第１の解除操作子が操作された場合には、前記第２画面を構成するツリー構造の画面群のうち、最上位の画面を前記表示部に表示させ、
前記表示制御手段は、前記第１または第２の解除操作子が操作されたが、エラーが残存する場合、前記第１または第２の解除操作子の操作によって前記表示部に表示された画面に、エラーが発生していることを示唆する表示を表示させることを特徴とする請求項８または９に記載の画像読取装置。
【発明の詳細な説明】
【技術分野】
【０００１】
本発明は、画像読取装置に関する。
【背景技術】
【０００２】
従来より、例えば、特許文献１に記載される通信端末装置のように、自動原稿供給装置と、フラットベッドスキャナと、の双方の原稿供給方法により供給された原稿を読み取る画像読取装置が知られている。
【先行技術文献】
【特許文献】
【０００３】
【特許文献１】特開平１０−６５８４２号公報
【発明の概要】
【発明が解決しようとする課題】
【０００４】
上記のような画像読取装置において、例えば、読取機能を利用した各種機能を実行するための指示キーが表示画面に表示される。ユーザが、その指示キーを操作することで、指示キーに対応した機能が実行される。かかる場合、例えば、供給方法毎に異なる機能の実行が可能な場合、１の供給方法に特有であり、他の供給方法では表示不要な指示キーも表示され、ユーザは所望の指示キーを探し出すことが煩わしかった。
【０００５】
本発明は、上述した事情を鑑みてなされたものであり、読取機能によって読み取られる原稿の供給方法が異なる場合、それぞれの供給方法に対応した読み取りに係る画面を表示可能な画像読取装置を提供することを目的とする。
【課題を解決するための手段】
【０００６】
この目的を達成するために、本発明の画像読取装置は、第１の供給方法または前記第１の供給方法とは異なる第２の供給方法によって供給される原稿をそれぞれ読み取り可能な読取部と、前記第１の供給方法と前記第２の供給方法とを切り替える切替部と、表示部と、制御部とを備え、前記制御部は、前記切替部による切り替えによって原稿が前記第１の供給方法で供給される場合、当該第１の供給方法で供給される原稿の前記読取部による読み取りに係る第１画面を前記表示部に表示させる一方で、前記切替部による切り替えによって原稿が前記第２の供給方法で供給される場合、当該第２の供給方法で供給される原稿の前記読取部による読み取りに係る、前記第１画面と異なる第２画面を前記表示部に表示させる表示制御手段、を備えている。
【０００７】
本発明は、画像読取装置を制御する制御装置、画像読取システム、画像読取方法、画像読取プログラム、画像読取プログラムを記録する記録媒体など、種々の態様で実現可能である。
【発明の効果】
【０００８】
請求項１記載の画像読取装置によれば、切替部による切り替えによって原稿が第１の供給方法で供給される場合、当該第１の供給方法で供給される原稿の読取部による読み取りに係る第１画面が表示部に表示される一方で、切替部による切り替えによって原稿が第２の供給方法で供給される場合、当該第２の供給方法で供給される原稿の読取部による読み取りに係る、第１画面と異なる第２画面が表示部に表示される。よって、原稿の供給方法に応じた画面（第１画面、第２画面）をユーザに提供することができる。そのため、切り替えられた供給方法にて表示される画面においてのみ、その供給方法において特有な読み取りに係る表示を行わせることが可能となるので、ユーザは、表示部に表示された画面を見て、切り替えられた供給方法に特有の読み取りに係る表示か、他の供給方法に特有な読み取りに係る表示かを判断しなければならない煩雑さから解放される。
【０００９】
請求項２記載の画像読取装置によれば、請求項１が奏する効果に加え、次の効果を奏する。切替部による切り替えによって原稿が第１経路を通って読取部まで搬送される場合、第１画面が表示部に表示される一方で、切替部による切り替えによって原稿が第２経路を通って読取部まで搬送される場合、第２画面が表示部に表示される。よって、ユーザは、原稿が、第１経路を通って読み取られるか、第２経路を通って読み取られるかに応じた画面をユーザに提供できるので、ユーザは、表示部に表示された画面を見て、第１経路を通る原稿の読み取りに係る表示か、第２経路を通る原稿の読み取りに係る表示かを判断しなければならない煩雑さから解放される。
【００１０】
請求項３記載の画像読取装置によれば、請求項２が奏する効果に加え、次の効果を奏する。第１画面は、原稿が第１経路を搬送される場合に使用可能な機能の実行に係る操作を行う画面であり、第２画面は、原稿が第２経路を搬送される場合に使用可能な機能の実行に係る操作を行う画面であるので、ユーザは、原稿の搬送経路が第１経路であるか第２経路であるかに応じて使用可能な機能を認識した上で、所望の機能を選択して実行させることができるので、各機能を使い易い。
【００１１】
請求項４記載の画像読取装置によれば、請求項３が奏する効果に加え、次の効果を奏する。切替部による搬送経路の切り替えが検知部により検知され、当該切り替えによって原稿が第１経路を搬送される場合には、第１画面を構成するツリー構造の画面群のうち、最上位の画面が表示部に表示される一方で、切替部による搬送経路の切り替えが検知部により検知され、当該切り替えによって原稿が第２経路を搬送される場合には、第２画面を構成するツリー構造の画面群のうち、最上位の画面が表示部に表示される。第１画面および第２画面のうち、少なくとも一方の画面における最上位の画面には、当該画面に対応する搬送経路を搬送される原稿が読取部によって読み取られる場合にのみ実行可能な機能に係る操作子が含まれる。よって、ユーザは、一方の経路にのみ特有な機能を明確に認識した上で、所望の機能を選択できるので、各機能を使い易い。
【００１２】
請求項５記載の画像読取装置によれば、請求項１から４が奏する効果に加え、次の効果を奏する。第１画面に属する設定画面が表示される場合には、切替部による搬送経路の切り替えが検知部により検知されても、第２画面が表示部に表示されないので、ユーザが搬送経路を切り替える操作をした場合であっても、第１画面に属する設定画面を用いて、第１経路を搬送される原稿の読取部による読み取りに係る読取設定値を設定できる。
【００１３】
請求項６記載の画像読取装置によれば、請求項５が奏する効果に加え、次の効果を奏する。カバーが開かれた状態において露出し、カバーが閉じられた状態において露出することなく当該カバーに対向する位置には第１操作子が設けられる。当該第１操作子は、第１経路を搬送される原稿の読取部による読み取りに係る読取設定値を設定する場合に使用可能な操作子を含む。一方、第１画面に含まれる第２操作子が操作されたことを条件として、カバーによる搬送経路の切り替えが検知部により検知されても、第２画面が表示部に表示されない。よって、ユーザが、第１画面に属する設定画面に、第１操作子に相当する操作子を設ける必要がなく、設定画面の領域を有効に利用できる。
【００１４】
請求項７記載の画像読取装置によれば、請求項６が奏する効果に加え、次の効果を奏する。第１操作子の１つである、読取設定値を設定する場合に使用可能な操作子は、第１経路を搬送される原稿の読取部による読み取りに係る読取設定値を設定する場合と、第２経路を搬送される原稿の読取部による読み取りに係る読取設定値を設定する場合との両方に共通して使用可能な操作子である。よって、第１画面に属する、第１経路を搬送される原稿の読取部による読み取りに係る読取設定値を設定させる設定画面と、第２画面に属する、第２経路を搬送される原稿の読取部による読み取りに係る読取設定値を設定させる設定画面とを共通の画面として構成することが可能であり、それによって、本画像読取装置に記憶させるべき画面データの容量を削減できる。
【００１５】
請求項８記載の画像読取装置によれば、請求項１から７のいずれかが奏する効果に加え、次の効果を奏する。カバーが開かれた状態において露出し、カバーが閉じられた状態において露出することなく当該カバーに対向する位置には第１操作子が設けられる。当該第１操作子は、エラーを解除するための第１の解除操作子を含む。一方、カバーが閉じられた状態でエラーが発生した場合、エラーを解除するための操作子であって、第１の解除操作子とは異なる操作子である第２の解除操作子を含むエラー画面が表示部に表示される。カバーが閉じられた状態では、第１の解除操作子を操作することができないが、エラー画面には第２の解除操作子が含まれているので、当該第２の解除操作子を操作することができる。一方、カバーが開かれた状態でエラーが発生した場合、第２の解除操作子を含まないエラー画面が表示部に表示される。カバーが開かれた状態では、第１の解除操作子を操作することが可能であるので、エラー画面には第２の解除操作子が含まれないので、同じ機能を有する操作子が重複せず、ユーザに混乱を与えることを防止できる。
【００１６】
請求項９記載の画像読取装置によれば、請求項８が奏する効果に加え、次の効果を奏する。カバーが閉じられた状態でエラーが発生したことによって第２の解除操作子を含むエラー画面を表示させた後、カバーが開かれたことが検知部により検知された場合、第２の解除操作子を含むエラー画面の表示が維持される。よって、エラー解除のためにカバーを開く必要がある場合に、カバーを開いた場合であっても、カバーを開く前後でエラー画面の内容が変わらないので、ユーザに混乱や誤解を与えることを防止できる。
【００１７】
請求項１０記載の画像読取装置によれば、請求項８または９が奏する効果に加え、次の効果を奏する。第２の解除操作子が操作された場合には、第１画面を構成するツリー構造の画面群のうち、最上位の画面が表示部に表示され、第１の解除操作子が操作された場合には、第２画面を構成するツリー構造の画面群のうち、最上位の画面が表示部に表示される。よって、第１または第２の解除操作子の操作によってエラーが解除された場合には、引き続き、操作された解除操作子に応じて表示された画面（第１画面、第２画面）に対応する原稿の読み取りを行うことができる。そして、第１または第２の解除操作子が操作されたが、エラーが残存する場合、第１または第２の解除操作子の操作によって表示部に表示された画面に、エラーが発生していることを示唆する表示が表示されるので、ユーザは、当該表示から、第１または第２の解除操作子の操作ではエラーが解除されなかったことを認識できる。
【図面の簡単な説明】
【００１８】
【図１】（ａ）および（ｂ）は、それぞれ、ＣＤＳを、右前方および右後方から見た斜視図である。
【図２】ＣＤＳのカバーを開いた状態で右前方から見た斜視図である。
【図３】（ａ）および（ｂ）は、それぞれ、図１（ａ）のＩＩＩａ−ＩＩＩａ線および図２のＩＩＩｂ−ＩＩＩｂ線におけるＣＤＳの模式的な断面図である。
【図４】ＣＤＳの電気的構成を示すブロック図である。
【図５】ＣＤＳのＬＣＤに表示される画面の画面遷移図の一例である。
【図６】ＣＤＳのＬＣＤに表示される画面の画面遷移図の一例である。
【図７】ＣＤＳのＬＣＤに表示される画面の画面遷移図の一例である。
【図８】ＣＤＳのＬＣＤに表示される画面の画面遷移図の一例である。
【図９】ＣＤＳのＬＣＤに表示される画面の画面遷移図の一例である。
【図１０】メイン処理を示すフローチャートである。
【図１１】エラー表示処理を示すフローチャートである。
【図１２】エラー表示処理を示すフローチャートである。
【発明を実施するための形態】
【００１９】
以下、本発明の好ましい実施形態について、添付図面を参照して説明する。図１（ａ）および（ｂ）は、それぞれ、本発明の画像読取装置の一実施形態であるコンパクトドキュメントスキャナ（以下「ＣＤＳ」と称す）１を、右前方および右後方から見た斜視図である。図１（ａ）および（ｂ）には、カバー３が、本体部２に対し閉じられた状態を図示する。なお、図１〜図３の各図において、ＣＤＳ１の上方を矢印Ｕで、下方を矢印Ｂｏで、前方を矢印Ｆで、後方を矢印Ｂａで、右方を矢印Ｒで、左方を矢印Ｌで表わしている。本実施形態のＣＤＳ１は、Ａ４普通紙などのシート状の原稿と、免許証やクレジットカードや名刺などのサイズの小さい厚手の原稿とを読み取り可能なスキャナ（画像読取装置）として構成される。以下、前者の原稿を「ドキュメント」と称し、後者の原稿を「カード」と称す。
【００２０】
ＣＤＳ１は、ドキュメントまたはカードを読み取る画像読取センサ１８（図３（ａ）および（ｂ）参照）を内蔵する本体部２と、本体部２に対し開閉可能に取り付けられたカバー３とを有する。本体部２の前面には、画像読取センサ１８により読み取ったドキュメントＤ（図２参照）またはカードＣを排出するための排出口２ａが設けられている。排出口２ａは、本体の右側に設けられた排出口２ａ１と、排出口２ａ１を一部共用し、本体部２の左右方向のほぼ全体に延びる排出口２ａ２とを含む。排出口２ａ１は、カードＣを排出するための排出口であり、排出口２ａ２は、ドキュメントＤを排出するための排出口である。そのため、排出口２ａ１および排出口２ａ２の上下方向高さは、それぞれ、排出対象であるカードＣおよびドキュメントＤの厚みを反映し、前者の方が後者に比べて高い。一方、本体部２の背面には、カードＣを本体部２に挿入するための挿入口２ｂが設けられている。挿入口２ｂに挿入されたカードＣは、第１経路Ｖ１（図３（ａ）参照）を搬送され、画像読取センサ１８に読み取られる。画像読取センサ１８に読み取られたカードＣは、排出口２ａ１から排出される。よって、本実施形態のＣＤＳ１は、カバー３を閉じた状態でカードＣを画像読取センサ１８に読み取らせることができる。
【００２１】
また、本体部２の上面には、各種情報を表示するＬＣＤ１６が設けられている。一方、カバー３には、カバー３を閉じた状態でＬＣＤ１６に対応する位置に開口３ｃが形成されている。よって、ユーザは、カバー３を閉じた状態であっても開口３ｃを介してＬＣＤ１６に表示された画面を視認することができる。ＬＣＤ１６には、タッチパネル１７が重ねられており、ユーザは、カバー３を閉じた状態であっても開口３ｃを介して、タッチパネル１７を指などによってタッチして、ＣＤＳ１に指示を入力できる。
【００２２】
カバー３は、第１カバー３ａと、第２カバー３ｂとを含む。第１カバー３ａは、ヒンジ（図示せず）を介して、回動軸Ｑ１を中心に回動可能に本体部２に取り付けられる。カバー３は、第１カバー３ａを、回動軸Ｑ１を中心に矢印Ｊａ方向に回転させることによって、本体部２に対して閉じることができる。第１カバー３ａは、カバー３を閉じた状態において、本体部２の上面を覆う。一方、第２カバー３ｂは、ヒンジ（図示せず）を介して、回動軸Ｑ２を中心に回動可能に第１カバー３ａに取り付けられる。カバー３を閉じる場合、第２カバー３ｂを、回動軸Ｑ２を中心に矢印Ｋａ方向に回転させることによって、第１カバー３ａに対して折り畳むことができる。よって、第２カバー３ｂは、カバー３を閉じた状態において、本体部２の前面のうち、排出口２ａより上方側を覆う。
【００２３】
図２は、ＣＤＳ１のカバー３を開いた状態で右前方から見た斜視図である。カバー３は、第１カバー３ａを、回動軸Ｑ１を中心に矢印Ｊｂ方向に回転させることによって、本体部２に対して開くことができる。カバー３を開く場合、第２カバー３ｂを、回動軸Ｑ２を中心に矢印Ｋｂ方向に回転させることによって、第１カバー３ａに対してさらに開くことができ、その結果、第２カバー３ｂの裏面３ｂ１と、第１カバー３ａの裏面３ａ１とを平らに合わせることができる。平らに合わされたこれら面３ａ１，３ｂ１は、読み取り対象とするドキュメントＤを載置する給紙トレイとして機能する。
【００２４】
本体部２の上面には、ドキュメントＤを本体部２に挿入するための挿入口２ｃが設けられている。載置台に載置されたドキュメントＤは、挿入口２ｃから挿入され、本体内部に形成された第２経路Ｖ２（図３（ｂ）参照）を搬送され、画像読取センサ１８に読み取られる。画像読取センサ１８に読み取られたドキュメントＤは、排出口２ａ２（排出口２ａ）から排出される。図２に示すように、挿入口２ｃは、カバー３を開くことによって露出される。よって、本実施形態のＣＤＳ１は、カバー３を開いた状態に限って、ドキュメントＤを画像読取センサ１８に読み取らせることができる。
【００２５】
本体部２の上面には、操作キー１５（図４参照）として、Ｂａｃｋキー１５ａと、Ｈｏｍｅキー１５ｂと、×キー１５ｃとが設けられる。Ｂａｃｋキー１５ａは、ＬＣＤ１６に表示されている画面を、当該画面に代えて、当該画面の前に表示されていた画面に切り替えるためのキーである。Ｈｏｍｅキー１５ｂは、カバー３が開かれている状態においてＬＣＤ１６に表示されるホーム画面、すなわち、カバー３が開かれている状態において表示可能なツリー構造の画面群のうち、最上位の画面を表示させるためのキーである。×キー１５ｃは、実行中の処理、例えば、読み取り処理などをキャンセルさせるためのキーである。×キー１５ｃは、エラーを解除するために操作されるキーでもある。ユーザは、これらのキー１５ａ〜１５ｃを適宜操作することにより、各キー１５ａ〜１５ｃに対応付けられている処理を実行できる。なお、キー１５ａ〜１５ｃは、カバー３を閉じた場合に、当該カバー３によって覆われる位置に設けられる。よって、キー１５ａ〜１５ｃは、カバー３を開いた状態においてのみ操作可能であり、カバー３を閉じた場合には操作できない。
【００２６】
図３（ａ）は、図１（ａ）のＩＩＩａ−ＩＩＩａ線におけるＣＤＳ１の模式的な断面図である。つまり、カバー３が閉じられた状態にあるＣＤＳ１の断面図を、図３（ａ）に示す。本実施形態のＣＤＳ１は、カバー３（３ａ，３ｂ）を閉じた状態において、挿入口２ｂから挿入されたカードＣを読み取り可能に構成される。本体部２には、挿入口２ｂから延びる経路１０１と、経路１０１に連設されて排出口２ａ２（排出口２ａ）まで延びる経路１０２とが設けられる。経路１０２の経路１０１側には、一対の搬送ローラ１０４，１０５が、互いに圧接された状態でそれぞれ回動可能に設けられる。
【００２７】
搬送ローラ１０４，１０５は、駆動モータ１９（図４参照）により回動され、この回動力によってカードＣを排出口２ａ２側へ搬送する。一方、経路１０２の排出口２ａ２側には、一対の排紙ローラ１０６，１０７が、互いに圧接された状態でそれぞれ回動可能に設けられる。排紙ローラ１０６，１０７もまた、駆動モータ１９により回動され、この回動力によってカードＣを排出口２ａ２側から排出する。
【００２８】
挿入口２ｂの近傍にはカード検知センサ２１が設けられる。カバー３が閉じられた状態で、挿入口２ｂから挿入されたカードＣがカード検知センサ２１に検知された場合、搬送ローラ１０４，１０５は、当該カードＣを挟持した（ニップした）状態で一旦停止される。その後、読み取り開始の指示が入力されたことを条件として、搬送ローラ１０４，１０５は再度回動され、挟持したカードＣを排出口２ａ２側へ搬送させる。搬送ローラ１０４，１０５によって搬送されたカードＣは、次いで、排紙ローラ１０６，１０７によって挟持され、排紙ローラ１０６，１０７の回動によって排出口２ａ２から排出される。
【００２９】
搬送ローラ１０４，１０５と排紙ローラ１０６，１０７との間には、経路１０２を通過するカードＣの面の画像読み取りを行うことが可能な画像読取センサ１８が設けられる。本実施形態では、画像読取センサ１８として、カードＣの一方の面（例えば、表面）の画像を読み取るための第１画像読取センサ１８ａと、他方の面（例えば、裏面）の画像を読み取るための第２画像読取センサ１８ｂとが設けられている。よって、挿入口２ｂから挿入されたカードＣは、経路１０１と経路１０２とからなる第１経路Ｖ１を通過し、少なくとも一方の面の画像を画像読取センサ１８（１８ａ，１８ｂ）で読み取った後、排出口２ａ２から排出される。第１経路Ｖ１は、挿入口２ｂから排出口２ａ１まで略水平に形成されているので、厚手なカードＣであってもスムースに搬送することができ、原稿詰まりを起こし難い。
【００３０】
図３（ｂ）は、図２のＩＩＩｂ−ＩＩＩｂ線におけるＣＤＳ１の模式的な断面図である。つまり、カバー３が開かれた状態にあるＣＤＳ１の断面図を、図３（ｂ）に示す。本体部２には、ドキュメントＤを挿入するための挿入口２ｃが設けられており、挿入口２ｃは、カバー３を開いた場合に露出されて使用可能となる。このように、本実施形態のＣＤＳ１は、カバー３（３ａ，３ｂ）を開いた状態において、挿入口２ｃから挿入されたドキュメントＤを読み取り可能に構成される。本体部２には、挿入口２ｃから延びる経路１０３が設けられており、経路１０３は、経路１０２に連設される。図３（ｂ）に示す通り、ドキュメント用の経路１０３、および、上述したカード用の経路１０１は、合流部１０９において合流し、それぞれが、経路１０２に接続される。つまり、経路１０２は、ドキュメントＤおよびカードＣの両方を搬送する共用の搬送経路である。
【００３１】
経路１０３には、給紙ローラ１０８が設けられる。給紙ローラ１０８は、駆動モータ１９（図４参照）により回動され、この回動力によって、給紙トレイとして機能するカバー３に載置されたドキュメントＤを経路１０３に案内する。給紙経路１０３に案内されたドキュメントＤは、搬送ローラ１０４，１０５によって挟持され、搬送ローラ１０４，１０５の回動によって排出口２ａ２（排出口２ａ）側へ搬送される。次に、搬送ローラ１０４，１０５によって搬送されるドキュメントＤは、排紙ローラ１０６，１０７によって挟持され、排紙ローラ１０６，１０７の回動によって排出口２ａ２から排出される。よって、挿入口２ｃから挿入されたドキュメントＤは、経路１０３と経路１０２とからなる第２経路Ｖ２を通過し、少なくとも一方の面の画像を画像読取センサ１８（１８ａ，１８ｂ）で読み取った後、排出口２ａ２から排出される。
【００３２】
図４は、ＣＤＳ１の電気的構成を示すブロック図である。ＣＤＳ１には、ＣＰＵ１１、フラッシュメモリ１２、ＲＡＭ１３、操作キー１５、ＬＣＤ１６、タッチパネル１７、画像読取センサ１８、駆動モータ１９、カバー開閉検知センサ２０、カード検知センサ２１、ドキュメント検知センサ２２、ＵＳＢインターフェイス（ＵＳＢ＿Ｉ／Ｆ）２３、ネットワークインターフェイス（ネットワークＩ／Ｆ）２４が主に設けられる。これらの各部１１〜１３，１５〜２４は、バスライン２５を介して互いに接続される。
【００３３】
ＣＰＵ１１は、フラッシュメモリ１２に記憶される固定値やプログラム、ＲＡＭ１３に記憶されているデータに従って、ＣＤＳ１の各部を制御する。フラッシュメモリ１２は、不揮発性のメモリであり、ＣＤＳ１の動作を制御する制御プログラム１２ａや、設定されている読み取り解像度などの読取設定値などが格納される。なお、後述する図５〜図９の画面遷移図に示される各画面の表示制御や、後述する図１０〜図１２のフローチャートに示す各処理は、制御プログラム１２ａに従いＣＰＵ１１により実行される。例えば、ＣＰＵ１１は、制御プログラム１２ａに従い、原稿の読取モードを、カバー３の開閉状態に応じて設定する。具体的に、ＣＰＵ１１は、カバー３を閉じた場合に、原稿の読取モードを、挿入口２ｂから挿入されたカードＣを読み取るカード読取モードに設定し、カバー３を開いた場合に、原稿の読取モードを、挿入口２ｃから挿入されたドキュメントＤを読み取るドキュメント読取モードに設定する。ＲＡＭ１３は、ＣＰＵ１１の処理に必要な情報を一時的に記憶する書換可能な揮発性のメモリである。ＲＡＭ１３には、画像読取センサ１８により読み取った読取画像データが記憶される。
【００３４】
操作キー１５はハードキーであり、ＣＤＳ１に各種の設定値や指示などを入力する。操作キー１５は、Ｂａｃｋキー１５ａと、Ｈｏｍｅキー１５ｂと、×キー１５ｃとを含む。ＬＣＤ１６は液晶表示装置である。タッチパネル１７は、指や棒などの指示体を接触または接近させることによって、ＣＤＳ１に指示などを入力する。画像読取センサ１８（第１画像読取センサ１８ａ，第２画像読取センサ１８ｂ）は、画像の濃淡を光学的に検出して画像を読み取るセンサである。画像読取センサ１８としては、例えば、ＣＩＳ（Ｃｏｎｔａｃｔ  Ｉｍａｇｅ  ｓｅｎｓｏｒ）や、ＣＣＤ（Ｃｈａｒｇｅ  Ｃｏｕｐｌｅｄ  Ｄｅｖｉｃｅ）などの周知のセンサを採用できる。駆動モータ１９は、各ローラ１０４〜１０８をそれぞれ回動させる駆動力を与えるモータである。ＵＳＢ＿Ｉ／Ｆ２３は、ＵＳＢプラグを介して、例えば、ＵＳＢメモリなどの記憶媒体や、パーソナルコンピュータ（ＰＣ）やハードディスクなどの他の装置を通信可能に接続するための装置であり、周知の装置で構成される。ネットワーク＿Ｉ／Ｆ２４は、ＣＤＳ１を、ＬＡＮやインターネットなどのネットワーク（図示せず）に接続するためのインターフェイスである。
【００３５】
カバー開閉検知センサ２０は、カバー３の開閉状態を検知するセンサであり、カバー３が開かれているか、閉じられているかに応じた信号をＣＰＵ１１に出力する。カバー開閉検知センサ２０は、例えば、カバー３が閉じられている場合に、ハイの信号をＣＰＵ１１に出力する。ＣＰＵ１１は、カバー開閉検知センサ２０から入力された信号に基づき、カバー３の開閉状態を判断する。カバー開閉検知センサ２０としては、光学的センサや、接触式センサや、磁気センサなどの周知のセンサを採用できる。カード検知センサ２１は、挿入口２ｂに挿入されたカードＣを検知するセンサである。カード検知センサ２１は、例えば、光学的センサなどの周知のセンサを採用でき、例えば、カードＣが挿入口２ｂに挿入されると、ハイの信号をＣＰＵ１１に出力する。ＣＰＵ１１は、カード検知センサ２１から入力された信号に基づき、カードＣが挿入されたことを判断する。ドキュメント検知センサ２２は、開かれたカバー３からなる給紙トレイ上に載置されたドキュメントＤを検知するセンサである。ドキュメント検知センサ２２は、例えば、接触式センサなどの周知のセンサを採用でき、例えば、ドキュメントＤが給紙トレイ上に載置されると、ハイの信号をＣＰＵ１１に出力する。ＣＰＵ１１は、ドキュメント検知センサ２２から入力された信号に基づき、ドキュメントＤが給紙トレイ上に載置されたことを判断する。
【００３６】
上記構成を有する本実施形態のＣＤＳ１は、上述した通り、カバー３を閉じた状態で、挿入口２ｂから挿入されて第１経路Ｖ１を搬送されるカードＣを読み取り、カバー３を開いた状態で、挿入口２ｃから挿入されて第２経路Ｖ２を搬送されるドキュメントＤを読み取るスキャナとして構成される。かかるＣＤＳ１は、カバー３の開閉状態、すなわち、読み取り対象の原稿の搬送経路に応じて、その搬送経路を搬送される原稿の読み取りに係る特有の機能を操作可能な画面が表示されるように構成される。
【００３７】
図５は、ＣＤＳ１のＬＣＤ１６に表示される画面の画面遷移図の一例である。ＣＤＳ１のＣＰＵ１１は、カードＣまたはドキュメントＤの読み取り機能の実行を待機する待機状態にある場合、カバー３の開閉状態に応じて異なる待機画面を表示させる。具体的に、ＣＰＵ１１は、待機状態において、カバーが閉じられた場合、待機画面５１を表示させる（Ｔ２１）。待機画面５１は、カードＣの読み取りに係るツリー構造の画面群の最上位の画面である。待機画面５１には、現在の日時および時間の表示５１ａと、設定登録キー５１ｂとが表示される。設定登録キー５１ｂは、カードＣの読み取りに係る読取設定値を設定するための設定画面の１つである画面５６（図７参照）を表示させるためのソフトキーである。
【００３８】
待機画面５１が表示されている状態で、ＣＰＵ１１が、カード検知センサ２１から入力された信号に基づき、カードＣが挿入口２ｂに挿入されたと判断した場合（Ｔ１）、ＣＰＵ１１は、待機画面５１に代えて、画面５２を表示させる。画面５２は、画像読取センサ１８によるカードＣの読み取りに係る読取設定値をユーザに指定させるための画面（スキャン設定指定画面）である。画面５２には、デフォルトキー５２ａと、３つのショートカットキー５２ｂ〜５２ｄとが表示される。デフォルトキー５２ａおよびショートカットキー５２ｂ〜５２ｄは、それぞれ、複数の読取設定値の組み合わせから構成されるスキャン設定を指定可能なソフトキーである。デフォルトキー５２ａには、デフォルトのスキャン設定が対応付けられる。一方、ショートカットキー５２ｂ〜５２ｄには、ユーザが予め任意に設定したスキャン設定が対応付けられる。ユーザは、デフォルトキー５２ａおよびショートカットキー５２ｂ〜５２ｄのいずれかに対する入力操作（本実施形態では、タッチ操作）を行うことによって、スキャン設定を指定できる。ＣＰＵ１１が、デフォルトキー５２ａおよびショートカットキー５２ｂ〜５２ｄのいずれかに対する入力操作を受け付けた場合、ＣＰＵ１１は、画面５２に代えて、カードＣの読み取りに係るツリー構造の画面群のうち、入力操作が行われたキーに応じた画面が表示される。一般的に、カードＣの読み取りは用途が限られているので、待機画面５１の下位画面に、デフォルトまたはユーザ設定により予め準備されているスキャン設定を指定するためのキー５２ａ〜５２ｄを含む画面５２を表示させたとしても、当該予め準備されているスキャン設定で足りることが多い。よって、カードＣを挿入口２ｂに挿入してから、当該カードＣに対するスキャン設定を行うことなく、挿入されたカードＣの読み取りを実行するまでにユーザが行う処理の数を抑制できる。
【００３９】
一方、ＣＰＵ１１は、待機状態において、カバーが開かれた場合、待機画面７１を表示させる（Ｔ２２）。待機画面７１は、ドキュメントＤの読み取りに係るツリー構造の画面群の最上位の画面である。待機画面７１には、機能選択キー７１ａが表示される。機能選択キー７１ａは、第２経路Ｖ２を搬送される原稿（本実施形態では、ドキュメントＤ）の読取機能において使用する小機能を選択するためのキーであり、使用可能な小機能の数だけ設けられる。図５に示す例では、待機画面７１には、機能選択キー７１ａとして、３つの機能選択キー７１ａ１〜７１ａ３が表示されている。機能選択キー７１ａは、全てを同時に待機画面７１に表示させてもよいし、一部を待機画面７１に表示させて、所定の操作に応じて適宜入れ替えるようにしてもよい。
【００４０】
図５に示す例において、機能選択キー７１ａ１は、ドキュメントＤの読取画像データ（以下「ドキュメント画像データ」と称す。）をＦＴＰサーバにアップロードさせる機能に対応するソフトキーであり、機能選択キー７１ａ２は、ドキュメント画像データをネットワーク上のクラウドサーバにアップロードさせる機能に対応するソフトキーであり、機能選択キー７１ａ３は、ドキュメント画像データをＣＤＳ１に接続されたパーソナルコンピュータに保存させる機能に対応するソフトキーである。なお、本実施形態のＣＤＳ１は、読取画像データを、ネットワーク上のクラウドサーバにアップロードさせる機能は、個人情報を含む傾向にあるカードＣの読取機能、すなわち、第１経路Ｖ１を搬送される原稿の読取機能では使用できない機能とする。ユーザは、所望の小機能に対応する機能選択キー７１ａに対するタッチ操作を行うことによって、１の小機能を選択できる。
【００４１】
待機画面７１が表示されている状態で、ＣＰＵ１１が、機能選択キー７１ａに対する入力操作を受け付けた場合（Ｔ３１）、ＣＰＵ１１は、待機画面７１に代えて、入力操作が行われた機能選択キー７１ａに対応する小機能に応じた画面７２を表示させる。例えば、機能選択キー７１ａ１に対する入力操作が行われた場合、アップロード先のＦＴＰサーバの指定と、読み取り解像度や、保存時のファイル形式や、ファイル名などの設定とを行うことが可能な画面が、画面７２として、ＬＣＤ１６に表示される。ＣＰＵ１１が、画面７２に対する入力操作を受け付けた場合、ＣＰＵ１１は、画面７２に代えて、ドキュメントＤの読み取りに係るツリー構造の画面群のうち、入力操作に応じた画面を表示させる。
【００４２】
上述した通り、本実施形態のＣＤＳ１によれば、カバー３の開閉によって切替可能な読み取り時の搬送経路に応じたツリー構造の画面群が表示される。搬送経路が第１経路Ｖ１であるか第２経路Ｖ２であるかに応じて使用可能な小機能が異なる場合、それぞれの搬送経路において使用可能な小機能が明確でなければ、ユーザは各小機能を使い難いが、搬送経路に応じたツリー構造の画面群を表示されるので、搬送経路に応じて使用可能な小機能を明確に表示できる。例えば、待機画面７１には、カードＣの読取機能では使用できない機能に対応する機能選択キー７１ａ２が表示されている。よって、ユーザは、ドキュメントＤの読み取りを行う場合、ドキュメント画像データをクラウドサーバにアップロードできることを明確に認識した上で、当該機能を選択できるので、各小機能を使い易い。その一方で、機能選択キー７１ａ２に相当するキーは、待機画面５１には表示されない。また、機能選択キー７１ａ２に相当するキーは、カードＣの読み取りに係るツリー構造の画面群のいずれにも表示されない。つまり、カードＣの読み取りに係るツリー構造の画面群の中には、第１経路Ｖ１を搬送される原稿（本実施形態では、カードＣ）の読取機能において使用する小機能を選択するためのキーが表示される画面もあるが、当該画面にも、機能選択キー７１ａ２に相当するキーは表示されない。よって、ユーザは、カードＣの読み取りを行う場合、カードＣの読み取り時に使用できない機能が選択されることを防止できるので、かかる点においても、ユーザは各小機能を使い易い。なお、第１経路Ｖ１を搬送される原稿の読取機能において使用可能であるが、第２経路Ｖ２を搬送される原稿の読取機能において使用できない小機能がある場合には、カードＣの読み取りに係るツリー構造の画面群の中に、かかる特有の小機能を選択するためのキーが表示される画面がある一方で、当該キーは、カードＤの読み取りに係るツリー構造の画面群のいずれにも表示されない。
【００４３】
図６および図７は、ＣＤＳ１のＬＣＤ１６に表示される画面の画面遷移図の一例である。図６および図７に示す各画面５１〜５７は、カードＣの読み取りに係るツリー構造の画面群に含まれる画面である。なお、図６および図７には、必要に応じて、ＣＰＵ１１が実行する原稿の搬送制御に係る処理が図示される。待機画面５１が表示された状態で、ＣＰＵ１１が、カードＣが挿入口２ｂに挿入されたと判断した場合（Ｔ１）、ＣＰＵ１１は、駆動モータ１９を動作させ、挿入されたカードＣを、搬送ローラ１０４，１０５間に挟持させた状態で停止させる。カード読取モードにおいて、カード検知センサ２１によりカードＣの挿入が検知されたことがトリガとなって、カードＣの読み取り機能が開始される。よって、ＣＰＵ１１は、搬送ローラ１０４，１０５間にカードＣが挟持されると、待機画面５１に代えて、画面５２を表示させる。一方、設定登録キー５１ｂに対するタッチ操作を、ＣＰＵ１１が受け付けた場合（Ｔ８）、ＣＰＵ１１は、待機画面５１に代えて、画面５５（図７参照）を表示させる。
【００４４】
スキャン設定画面である画面５２には、上述したキー５２ａ〜５２ｄの他に、排出キー５２ｅが表示される。排出キー５２ｅは、搬送ローラ１０４，１０５間に挟持されているカードＣの排出を指示するためのソフトキーである。排出キー５２ｅに対するタッチ操作を、ＣＰＵ１１が受け付けた場合（Ｔ２）、ＣＰＵ１１は、駆動モータ１９を動作させ、搬送ローラ１０４，１０５間に挟持されているカードＣを排出口２ａ１から排出させる。ＣＰＵ１１は、カードＣが挿入口２ｂから排出されたと判断した場合、画面５２に代えて、待機画面５１を表示させる。
【００４５】
一方、デフォルトキー５２ａ、または、ショートカットキー５２ｂ〜５２ｄのうちスキャン設定が対応付けられているキーに対するタッチ操作を、ＣＰＵ１１が受け付けた場合（Ｔ３）、ＣＰＵ１１は、画面５２に代えて、画面５３を表示させる。画面５３は、ユーザが指定したスキャン設定を当該ユーザに確認させるための画面（スキャン実行前画面）である。画面５３には、表示領域５３ａが設けられる。表示領域５３ａには、デフォルトキー５２ａおよびショートカットキー５２ｂ〜５２ｄのうち、ユーザが指定したスキャン設定の内容が表示される。
【００４６】
スキャン実行前画面である画面５３には、Ｂａｃｋキー５３ｂと、Ｓｔａｒｔキー５３ｃとが表示される。Ｂａｃｋキー５３ｂは、表示中の画面（画面５３）に代えて、前画面である画面５２を表示させることを指示するためのソフトキーである。Ｂａｃｋキー５３ｂに対するタッチ操作を、ＣＰＵ１１が受け付けた場合（Ｔ４）、ＣＰＵ１１は、画面５３に代えて、画面５２を表示させる。Ｓｔａｒｔキー５３ｃは、画像読取センサ１８によるカードＣの読み取りの実行を指示するためのソフトキーである。Ｓｔａｒｔキー５３ｃに対するタッチ操作を、ＣＰＵ１１が受け付けた場合（Ｔ５）、ＣＰＵ１１は、駆動モータ１９を動作させ、搬送ローラ１０４，１０５間に挟持されているカードＣを下流側に搬送させ、画像読取センサ１８によるカードＣの読み取りを開始する。ＣＰＵ１１は、カードＣの読み取りを開始するに伴い、画面５３に代えて、画面５４を表示させる。
【００４７】
画面５４は、カードＣの読み取りの実行中に表示される画面（スキャン実行中画面）である。画面５４には、表示領域５４ａが設けられる。表示領域５４ａには、実行中の読み取りに対し設定されているスキャン設定の内容が表示される。画面５４には、Ｃａｎｃｅｌキー５４ａが表示される。Ｃａｎｃｅｌキー５４ｂは、実行中の読み取りの中止（キャンセル）を指示するためのソフトキーである。Ｃａｎｃｅｌキー５４ｂに対するタッチ操作を、ＣＰＵ１１が受け付けた場合（Ｔ６）、ＣＰＵ１１は、画像読取センサ１８によるカードＣの読み取りを中止して、カードＣを排出口２ａ１から排出させる。ＣＰＵ１１は、Ｃａｎｃｅｌキー５４ｂに対するタッチ操作を受け付けた後、カードＣが挿入口２ｂから排出されたと判断した場合、画面５４に代えて、待機画面５１を表示させる。一方、Ｓｔａｒｔキー５３ｃがタッチされたことに基づいて実行された読み取りが完了した場合もまた（Ｔ７）、ＣＰＵ１１は、画面５４に代えて、待機画面５１を表示させる。
【００４８】
図７に示す画面５５には、カバー３を開くことを示唆するメッセージ５５ａが表示される。画面５５には、Ｃａｎｃｅｌキー５５ｂが表示される。Ｃａｎｃｅｌキー５５ｂに対するタッチ操作を、ＣＰＵ１１が受け付けた場合（Ｔ１１）、ＣＰＵ１１は、画面５５に代えて、待機画面５１を表示させる。一方、画面５５が表示されている状態で、ＣＰＵ１１が、カバー開閉検知センサ２０から入力された信号に基づき、カバー３が開かれたと判断した場合（Ｔ１２）、ＣＰＵ１１は、画面５５に代えて、画面５６を表示させる。画面５５の表示中は、ＣＤＳ１は待機状態にあるので、カバー３が開かれたことにより、本来であれば、待機画面７１が表示されるはずであるが、本実施形態のＣＤＳ１によれば、カードＣの読み取りに係るツリー構造の画面群に含まれる画面の１つである画面５６が表示される。つまり、本実施形態のＣＤＳ１によれば、待機画面５１内に表示される設定登録キー５１ｂがタッチ操作されたことを条件として、カバー３が開かれた場合であっても、ドキュメントＤの読み取りに係るツリー構造の画面群に含まれる画面が表示されないように構成されている。
【００４９】
画面５６は、画面５２（図６参照）におけるショートカットキー５２ｂ〜５２ｄに対し、ユーザが任意のスキャン設定の登録を行う窓口となる画面（ショートカット設定画面）である。画面５６は、排出キー５２ｅがＣａｎｃｅｌキー５６ｅに代わる以外、画面５２と同じ画面に構成される。よって、画面５６には、ショートカットキー５６ｂ〜５６ｄが表示される。ショートカットキー５６ｂ〜５６ｄは、それぞれ、ショートカットキー５２ｂ〜５２ｄに対して読取設定値の登録処理を開始するトリガとして機能するソフトキーである。Ｃａｎｃｅｌキー５６ｅは、登録処理の中止または終了を指示するためのソフトキーであり、Ｃａｎｃｅｌキー５６ｅに対するタッチ操作を、ＣＰＵ１１が受け付けた場合（Ｔ１５）、ＣＰＵ１１は、画面５６に代えて、待機画面５１を表示させる。
【００５０】
ショートカットキー５６ｂ〜５６ｄのうち、いずれかのキーに対するタッチ操作を、ＣＰＵ１１が受け付けた場合（Ｔ１３）、ＣＰＵ１１は、登録処理を行うための画面５７を表示させる。なお、一連の登録処理を行うには複数の画面５７がその都度切り替えられて表示される。一連の登録処理を行っている間、ユーザは、必要に応じて、Ｂａｃｋキー１５ａを操作することにより、画面５７を、その直前に表示されていた画面５７に戻すことができる。このように、本実施形態のＣＤＳ１によれば、一連の登録処理の実行中に、画面５７を戻すためにＢａｃｋキー１５ａを使用できるので、画面５７内に、Ｂａｃｋキー１５ａに相当するソフトキーを表示させる必要がない。ＬＣＤ１６に表示可能な画面のサイズには限りがあるため、Ｂａｃｋキー１５ａに相当するソフトキーを表示させない分、限りある画面５７の領域を有効活用できる。
【００５１】
よって、本実施形態のＣＤＳ１によれば、カバー３を開いた状態で、カードＣの読み取りに係る読取設定値を設定（登録）できる。よって、カバー３を開いた場合に限って露出される操作キー１５を、カードＣの読み取りに係る読取設定値の設定に使用することが可能となる。Ｂａｃｋキー１５ａなどの操作キー１５は、ドキュメントＤの読み取りに係る読取設定値をショートカットキー（図示せず）に登録する場合にも使用できる。かかる場合、画面５７を、カードＣとドキュメントＤにおける共用の設定画面として構成することが可能になるので、ＣＤＳ１に記憶させるべき画像データの容量を削減できる。
【００５２】
図８および図９は、ＣＤＳ１のＬＣＤ１６に表示される画面の画面遷移図の一例である。より詳細には、図８は、カバー３が開かれた状態でエラーが発生した場合の画面遷移図の一例であり、図９は、カバー３が閉じられた状態でエラーが発生した場合の画面遷移図の一例である。図８に示すように、カバー３が開かれた状態でエラーが生じた場合、ＣＰＵ１１は、エラー画面８１を表示させる。エラー画面８１には、エラー内容を示すエラーメッセージ８１ａが表示される。エラー画面８１が表示されている状態で、ＣＰＵ１１が、ユーザの手作業によるエラーの解除を検知した場合（Ｔ４１）、ＣＰＵ１１は、エラー画面８１に代えて、通常の待機画面７１を表示させる。よって、かかる場合、ユーザは、ドキュメントＤの読み取りを引き続き行うことができる。エラー画面８１が表示されている状態で、ＣＰＵ１１が、本体部２の上面に配設されているハードキーである×キー１５ｃに対する操作を受け付けたことに基づき実行する処理によって、発生中のエラーが解除された場合もまた（Ｔ４２）、ＣＰＵ１１は、エラー画面８１に代えて、通常の待機画面７１を表示させる。
【００５３】
一方、×キー１５ｃに対する操作を、ＣＰＵ１１が受け付けたが、発生中のエラーが解除されず残存する場合（Ｔ４３）、ＣＰＵ１１は、エラー画面８１に代えて、エラーが発生していることを示唆するエラー表示Ｅ１を含む待機画面７１を表示させる。よって、×キー１５ｃを操作してもエラーが残存する場合には、エラー表示Ｅ１を含む画面が表示されるので、ユーザは、×キー１５ｃの操作ではエラーが解除されなかったことを認識できる。エラー表示Ｅ１を含む待機画面７１には、詳細キーＥ１ａが表示される。詳細キーＥ１ａに対するタッチ操作を、ＣＰＵ１１が受け付けた場合（Ｔ４４）、ＣＰＵ１１は、エラー表示Ｅ１を含む待機画面７１に代えて、エラー画面８１をＬＣＤ１６に再度表示させ、ユーザに残存するエラーの内容を報せる。
【００５４】
エラー表示Ｅ１を含む待機画面７１が表示されている状態で、ＣＰＵ１１が、ユーザの手作業によるエラーの解除を検知した場合（Ｔ４５）、ＣＰＵ１１は、エラー表示Ｅ１を含む待機画面７１に代えて、通常の待機画面７１を表示させる。一方、エラー表示Ｅ１を含む待機画面７１が表示されている状態で、ＣＰＵ１１が、カバー３が閉じられたと判断した場合（Ｔ４６）、ＣＰＵ１１は、エラー表示Ｅ１を含む待機画面７１に代えて、カバー３を閉じることを示唆するエラー表示Ｅ２を含む待機画面５１を表示させる。また、エラー画面８１が表示されている状態で、ＣＰＵ１１が、カバー３が閉じられたと判断した場合もまた（Ｔ４７）、ＣＰＵ１１は、エラー画面８１に代えて、エラー表示Ｅ２を含む待機画面５１を表示させる。カバー３が開かれた状態で発生したエラーは、カバー３を開いた状態で手作業によってエラーを解除する必要がある場合が多い。よって、エラーが残存する状態でカバー３を閉じた場合、エラー表示Ｅ２を含む画面が表示されるので、ユーザは、カバー３を開いた状態でエラーを解除すべきであることを認識できる。エラー表示Ｅ２を含む待機画面５１が表示されている状態で、ＣＰＵ１１が、カバー３が開かれたと判断した場合（Ｔ４８）、ＣＰＵ１１は、エラー表示Ｅ２を含む待機画面５１に代えて、エラー画面８１をＬＣＤ１６に再度表示させる。
【００５５】
図９に示すように、カバー３が閉じられた状態でエラーが生じた場合、ＣＰＵ１１は、エラー画面９１を表示させる。エラー画面９１には、エラー内容を示すエラーメッセージ９１ａと、Ｃａｎｃｅｌキー９１ｂとが表示される。カバー３が閉じられており、かつ、エラー画面９１が表示されている状態で、ＣＰＵ１１が、ユーザの手作業によるエラーの解除を検知した場合（Ｔ５１）、ＣＰＵ１１は、エラー画面９１に代えて、通常の待機画面５１を表示させる。よって、かかる場合、ユーザは、カードＣの読み取りを引き続き行うことができる。
【００５６】
エラー画面９１に表示されるＣａｎｃｅｌキー９１ｂは、カバー３が開かれた状態で発生したエラーを解除するために用いた×キー１５ｃと同様の機能を有するソフトキーである。カバー３が閉じられており、かつ、エラー画面９１が表示されている状態で、ＣＰＵ１１が、Ｃａｎｃｅｌキー９１ｂに対する操作を受け付けたことに基づき実行する処理によって、発生中のエラーが解除された場合もまた（Ｔ５２）、ＣＰＵ１１は、エラー画面９１に代えて、通常の待機画面５１を表示させる。
【００５７】
上述した通り、本実施形態のＣＤＳ１は、×キー１５ｃが、カバー３を閉じた場合に、当該カバー３によって覆われる位置に設けられている。そのため、エラー画面９１が生じた状況、すなわち、エラーの発生時にカバー３が閉じられている状況では、カバー３を開くことなく×キー１５ｃを操作することはできない。これに対し、エラー画面９１に×キー１５ｃと同様に機能するソフトキー（Ｃａｎｃｅｌキー９１ｂ）を表示させたことにより、ユーザは、カバー３を開くことなくエラーの解除を図ることが可能となるので、エラーを解除するためのユーザの手間を軽減できる。また、Ｃａｎｃｅｌキー９１ｂをエラー画面９１に表示させるので、カバー３を閉じた場合に、×キー１５ｃを露出させる必要もない。よって、カバー３の開口３ｃを、最小限の大きさ、例えば、ＬＣＤ１６に相当する程度の大きさに構成できる。このように、本実施形態のＣＤＳ１によれば、開口３ｃの大きさをできるだけ小さくすることができるので、カバー３の強度を十分に確保することができる。一方、上述した通り、カバー３が開かれている状態でエラーが発生した場合に表示されるエラー画面８１には、Ｃａｎｃｅｌキー９１ｂに相当するソフトキーは表示されない。よって、同等の機能を有するキーがエラー画面８１の内外で重複せず、ユーザに混乱を与えることを防止できる。
【００５８】
カバー３が閉じられており、かつ、エラー画面９１が表示されている状態で、Ｃａｎｃｅｌキー９１ｂに対するタッチ操作を、ＣＰＵ１１が受け付けたが、発生中のエラーが解除されず残存する場合（Ｔ５３）、ＣＰＵ１１は、エラー画面９１に代えて、エラー表示Ｅ１と同様のエラー表示Ｅ３を含む待機画面５１を表示させる。よって、ユーザは、エラー表示Ｅ３を含む画面から、Ｃａｎｃｅｌキー９１ｂの操作ではエラーが解除されなかったことを認識できる。エラー表示Ｅ３を含む待機画面５１には、詳細キーＥ３ａが表示される。詳細キーＥ３ａに対するタッチ操作を、ＣＰＵ１１が受け付けた場合（Ｔ５４）、ＣＰＵ１１は、エラー表示Ｅ３を含む待機画面５１に代えて、エラー画面９１を再度表示させる。
【００５９】
エラー画面９１が表示されている状態では、ＣＰＵ１１が、カバー３が開かれたと判断したとしても（Ｔ５５）、ＣＰＵ１１は、エラー画面９１の表示を維持させる。上述した通り、カバー３が開かれている状態でエラーが発生した場合には、Ｃａｎｃｅｌキー９１ｂに相当するソフトキーのないエラー画面８１が表示される。エラーを解除するためには、カバー３を開く必要がある場合がある。しかしながら、エラー画面９１の表示中にカバー３が開かれた場合に、エラー画面８１を表示させると、見かけ上は、Ｃａｎｃｅｌキー９１ｂが消去されるだけであるので、ユーザは、Ｃａｎｃｅｌキー９１ｂが消去されたという事象によって、エラーが解除されたと誤解し混乱する虞がある。これに対し、本実施形態のＣＤＳ１によれば、エラー画面９１の表示中にカバー３を開いたとしても、エラー画面９１の表示が維持されるので、かかる混乱や誤解を与えることを防ぐことができる。同様に、カバー３が開かれており、かつ、エラー画面９１が表示されている状態で、ＣＰＵ１１が、カバー３が閉じられたと判断した場合も（Ｔ５６）、ＣＰＵ１１は、エラー画面９１の表示を維持させる。
【００６０】
カバー３が開かれており、かつ、エラー画面９１が表示されている状態で、ＣＰＵ１１が、Ｃａｎｃｅｌキー９１ｂに対する操作を受け付けたことに基づき実行する処理によって、発生中のエラーが解除された場合（Ｔ５７）、ＣＰＵ１１は、エラー画面９１に代えて、画面９４を表示させる。画面９４は、カバー３を閉じることを示唆するメッセージが表示される画面である。画面９４が表示されている状態で、ＣＰＵ１１が、カバー３が閉じられたと判断した場合（Ｔ５８）、ＣＰＵ１１は、画面９４に代えて、通常の待機画面５１を表示させる。一方、カバー３が開かれており、かつ、エラー画面９１が表示されている状態で、Ｃａｎｃｅｌキー９１ｂに対するタッチ操作を、ＣＰＵ１１が受け付けたが、発生中のエラーが解除されず残存する場合（Ｔ５９）、ＣＰＵ１１は、画面９４と同様の画面９５を表示させる。画面９５が表示されている状態で、ＣＰＵ１１が、カバー３が閉じられたと判断した場合（Ｔ６０）、ＣＰＵ１１は、画面９５に代えて、エラー表示Ｅ３を含む待機画面５１を表示させる。
【００６１】
カバー３が開かれており、かつ、エラー画面９１が表示されている状態で、ＣＰＵ１１が、ユーザの手作業によるエラーの解除を検知した場合（Ｔ６１）、ＣＰＵ１１は、エラー画面９１に代えて、画面９２を表示させる。画面９２は、カバー３を閉じてカードＣを排出させることを示唆するメッセージが表示される画面である。画面９２が表示されている状態で、ＣＰＵ１１が、カバー３が閉じられたと判断した場合（Ｔ６２）、ＣＰＵ１１は、画面９２に代えて、画面９３を表示させる。画面９３は、カードＣを排出するかを確認する確認画面であり、カードＣの排出の実行を指示するＯＫキー９３ａが表示される。ＣＰＵ１１が、ＯＫキー９３ａに対するタッチ操作を受け付けた後、カードＣが挿入口２ｂから排出されたと判断した場合、画面９３に代えて、通常の待機画面５１を表示させる。
【００６２】
画面９２が表示されている状態で、ＣＰＵ１１が、Ｈｏｍｅキー１５ｂに対する操作を受け付け、かつ、カードＣが挿入口２ｂに挿入されていないと判断した場合（Ｔ６４）、ＣＰＵ１１は、画面９２に代えて、通常の待機画面７１を表示させる。よって、かかる場合、ユーザは、ドキュメントＤの読み取りを引き続き行うことができる。一方、画面９２が表示されている状態で、ＣＰＵ１１が、Ｈｏｍｅキー１５ｂに対する操作を受け付け、かつ、カードＣが挿入口２ｂに挿入されていると判断した場合（Ｔ６５）、ＣＰＵ１１は、画面９２に代えて、カバー３を閉じてカードＣを排出させることを示唆するエラー表示Ｅ４を含む待機画面７１を表示させる。エラー表示Ｅ４を含む待機画面７１が表示されている状態で、ＣＰＵ１１が、カバー３が閉じられたと判断した場合（Ｔ６６）、ＣＰＵ１１は、エラー表示Ｅ４を含む待機画面７１に代えて、画面９３を表示させる。なお、画面９２は、カードＣが未排出のまま残っている場合と、カードＣが挿入されていない場合とで異なる画面としてもよい。前者の画面が表示されている状態で、ＣＰＵ１１が、Ｔ６２およびＴ６４の処理を実行した場合、ＣＰＵ１１は、当該画面に代えて、それぞれ、画面９３および通常の待機画面７１を表示させる一方で、後者の画面が表示されている状態で、ＣＰＵ１１が、Ｔ６５の処理を実行した場合、ＣＰＵ１１は、当該画面に代えて、エラー表示Ｅ４を含む待機画面７１を表示させればよい。また、画面９２が表示されている状態で使用するＨｏｍｅキー１５ｂと同等の機能を、Ｂａｃｋキー１５ａに持たせてもよい。
【００６３】
図１０は、制御プログラム１２ａに従い、ＣＰＵ１１が実行するメイン処理を示すフローチャートである。本処理は、ＣＤＳ１に電源が投入されると開始される。まず、ＣＰＵ１１が、カバー開閉検知センサ２０から入力された信号に基づき、カバー３が閉じられていると判断した場合（Ｓ１０１：Ｎｏ）、待機画面５１をＬＣＤ１６に表示させる（Ｓ１０２）。一方、ＣＰＵ１１が、カバー３が開かれていると判断した場合（Ｓ１０１：Ｙｅｓ）、待機画面７１をＬＣＤ１６に表示させる（Ｓ１１７）。
【００６４】
待機画面５１が表示されている状態で、ＣＰＵ１１が、カバー３が開かれたと判断した場合（Ｓ１０３：Ｙｅｓ／上記Ｔ２２に相当）、ＣＰＵ１１は、処理をＳ１１７に移行する。これにより、待機画面５１に代わり、待機画面７１がＬＣＤ１６に表示される。一方、待機画面７１が表示されている状態で、ＣＰＵ１１が、カバー３が閉じられたと判断した場合（Ｓ１１８：Ｙｅｓ／上記Ｔ２１に相当）、ＣＰＵ１１は、処理をＳ１０２に移行する。これにより、待機画面７１に代わり、待機画面５１がＬＣＤ１６に表示される。
【００６５】
待機画面５１が表示されている状態で、ＣＰＵ１１が、設定登録キー５１ｂに対するタッチ操作を受け付けることなく、カードＣが挿入口２ｂに挿入されたと判断した場合（Ｓ１０３：Ｎｏ，Ｓ１０４：Ｎｏ，Ｓ１０５：Ｙｅｓ／上記Ｔ１に相当）、ＣＰＵ１１は、駆動モータ１９を動作させ、挿入されたカードＣを、搬送ローラ１０４，１０５間に挟持させた状態で停止させる（Ｓ１０６）。次に、ＣＰＵ１１は、待機画面５１に代えて、画面５２をＬＣＤ１６に表示させる（Ｓ１０７）。一方、Ｓ１０５において、ＣＰＵ１１が、カードＣが挿入口２ｂに挿入されたと判断しない場合（Ｓ１０５：Ｎｏ）、ＣＰＵ１１は、処理をＳ１０１に戻す。
【００６６】
画面５２が表示されている状態で、ＣＰＵ１１が、排出キー５２ｅに対するタッチ操作を受け付けた場合（Ｓ１０８：Ｙｅｓ／上記Ｔ２に相当）、ＣＰＵ１１は、駆動モータ１９を動作させ、搬送ローラ１０４，１０５間に挟持されているカードＣを排出口２ａ１から排出させ（Ｓ１２９）、処理をＳ１０２に戻す。これにより、画面５２に代わり、待機画面５１がＬＣＤ１６に表示される。一方、ＣＰＵ１１が、各キー５２ａ〜５２ｄのいずれかに対するタッチ操作を受け付けた場合（Ｓ１０８：Ｎｏ，Ｓ１０９：Ｙｅｓ／上記Ｔ３に相当）、ＣＰＵ１１は、画面５２に代えて、画面５３をＬＣＤ１６に表示させる（Ｓ１１０）。また、ＣＰＵ１１が、各キー５２ａ〜５２ｅのいずれに対するタッチ操作も受け付けていない場合（Ｓ１０９：Ｎｏ）、ＣＰＵ１１は、処理をＳ１０８に戻し、各キー５２ａ〜５２ｅのいずれかに対するタッチ操作を待機する。
【００６７】
画面５３が表示されている状態で、ＣＰＵ１１が、Ｂａｃｋキー５３ｂに対するタッチ操作を受け付けた場合（Ｓ１１１：Ｙｅｓ／上記Ｔ４に相当）、ＣＰＵ１１は、処理をＳ１０７に戻す。これにより、画面５３に代わり、前画面である画面５２がＬＣＤ１６に表示される。一方、ＣＰＵ１１が、Ｓｔａｒｔキー５３ｃに対するタッチ操作を受け付けた場合（Ｓ１１１：Ｎｏ，Ｓ１１２：Ｙｅｓ／上記Ｔ５に相当）、ＣＰＵ１１は、駆動モータ１９を動作させ、搬送ローラ１０４，１０５間に挟持されているカードＣを下流側に搬送させ、画像読取センサ１８によるカードＣの読み取りを開始する（Ｓ１１３）。ＣＰＵ１１は、画面５３に代えて、画面５４をＬＣＤ１６に表示させる（Ｓ１１４）。一方、各キー５３ｂ，５３ｃのいずれに対するタッチ操作も受け付けていない場合（Ｓ１１２：Ｎｏ）、ＣＰＵ１１は、処理をＳ１１０に戻し、各キー５３ｂ，５３ｃのいずれかに対するタッチ操作を待機する。
【００６８】
画面５４が表示されている状態で、ＣＰＵ１１が、Ｃａｎｃｅｌキー５４ｂに対するタッチ操作を受け付けた場合（Ｓ１１５：Ｙｅｓ／上記Ｔ６に相当）、ＣＰＵ１１は、カードＣの排出を行い（Ｓ１２９）、処理をＳ１０２に戻す。これにより、画面５４に代わり、待機画面５１がＬＣＤ１６に表示される。一方、Ｃａｎｃｅｌキー５４ｂに対するタッチ操作をＣＰＵ１１が受け付けることなく、カードＣの読み取りが完了した場合（Ｓ１１５：Ｎｏ，Ｓ１１６：Ｙｅｓ）、ＣＰＵ１１は、処理をＳ１０２に戻す。かかる場合も、画面５４に代えて、待機画面５１がＬＣＤ１６に表示される。また、Ｓ１１６において、カードＣの読み取りが完了していない場合（Ｓ１１６：Ｎｏ）、ＣＰＵ１１は、処理をＳ１１４に戻し、Ｃａｎｃｅｌキー５４ｂに対するタッチ操作または読み取りの完了を待機する。
【００６９】
待機画面５１が表示されている状態で、ＣＰＵ１１が、設定登録キー５１ｂに対するタッチ操作を受け付けた場合（Ｓ１０４：Ｙｅｓ／上記Ｔ８に相当）、ＣＰＵ１１は、待機画面５１に代えて、画面５５をＬＣＤ１６に表示させる（Ｓ１２２）。画面５５が表示された状態で、ＣＰＵ１１が、Ｃａｎｃｅｌキー５５ｂに対するタッチ操作を受け付けた場合（Ｓ１２３:Ｙｅｓ／上記Ｔ１１に相当）、ＣＰＵ１１は、処理をＳ１０２に戻す。これにより、画面５５に代わり、待機画面５１がＬＣＤ１６に表示される。一方、画面５５が表示された状態で、ＣＰＵ１１が、カバー開閉検知センサ２０から入力された信号に基づき、カバー３が開かれたと判断した場合（Ｓ１２３：Ｎｏ，Ｓ１２４：Ｙｅｓ／上記Ｔ１２に相当）、ＣＰＵ１１は、画面５５に代えて、画面５６をＬＣＤ１６に表示させる（Ｓ１２５）。また、ＣＰＵ１１が、Ｃａｎｃｅｌキー５５ｂに対するタッチ操作を受け付けることなく、カバー３が閉じられたままであると判断した場合（Ｓ１２４：Ｎｏ）、ＣＰＵ１１は、処理をＳ１２３に戻す。
【００７０】
画面５６が表示されている状態で、ＣＰＵ１１が、Ｃａｎｃｅｌキー５６ｅに対するタッチ操作を受け付けた場合（Ｓ１２６:Ｙｅｓ／上記Ｔ１５に相当）、ＣＰＵ１１は、処理をＳ１０２に戻す。これにより、画面５６に代わり、待機画面５１がＬＣＤ１６に表示される。一方、ＣＰＵ１１が、ショートカットキー５６ｂ〜５６ｄのいずれかに対するタッチ操作を受け付けた場合（Ｓ１２６：Ｎｏ，Ｓ１２７：Ｙｅｓ／上記Ｔ１３に相当）、ＣＰＵ１１は、画面５７を表示させ、ショートカットを設定する処理を実行する（Ｓ１２８）。なお、上述した通り、一連の登録処理を行う際、ＣＰＵ１１は、複数の画面５７をその都度切り替えて表示させる。Ｓ１２８の処理が完了すると（上記Ｔ１４に相当）、ＣＰＵ１１は、処理をＳ１２５に戻す。これにより、画面５７に代わり、画面５６がＬＣＤ１６に表示される。一方、ＣＰＵ１１が、各キー５６ｂ〜５６ｅのいずれに対するタッチ操作も受け付けていない場合（Ｓ１２７：Ｎｏ）、ＣＰＵ１１は、処理をＳ１２６に戻し、各キー５６ｂ〜５６ｅのいずれかに対するタッチ操作を待機する。
【００７１】
待機画面７１が表示されている状態で、ＣＰＵ１１が、機能選択キー７１ａに対する入力操作を受け付けた場合（Ｓ１１８：Ｎｏ，Ｓ１１９：Ｙｅｓ／上記Ｔ３１に相当）、ＣＰＵ１１は、待機画面７１に代えて、入力操作が行われた機能選択キー７１ａに対応する小機能に応じた画面７２をＬＣＤ１６に表示させ（Ｓ１２０）、選択された小機能を実行する処理を実行する（Ｓ１２１）。そして、当該小機能の実行が終了すると、ＣＰＵ１１は、処理をＳ１１６に戻す。これにより、画面７２に代わり、待機画面７１がＬＣＤ１６に表示される。一方、ＣＰＵ１１が、機能選択キー７１ａに対するタッチ操作を受け付けていない場合（Ｓ１１９Ｎｏ）、ＣＰＵ１１は、機能選択キー７１ａに対するタッチ操作を待機する。
【００７２】
なお、図示はしないが、上述したメイン処理とは並行して、ＣＰＵ１１は、カバー開閉検知センサ２０から入力された信号に基づき、カバー３の開閉状態の変化を検知する処理を実行しており、当該処理において、ＣＰＵ１１が、カバー３の開閉状態の変化を検知した場合、画面の変更が許可されている場合には、ＣＰＵ１１は、カバー３の開閉状態に応じた待機画面（待機画面５１または待機画面７１）をＬＣＤ１６に表示させるために、処理をＳ１０２またはＳ１１７に移行する。画面の変更が許可されている場合としては、例えば、ドキュメント画像データをＣＤＳ１に接続されたパーソナルコンピュータに保存させる機能（Ｓｃａｎ  ｔｏ  ＰＣ）の実行中などが例示される。よって、例えば、「Ｓｃａｎ  ｔｏ  ＰＣ」の実行に伴う画面７２の表示中に、ＣＰＵ１１が、カバー３が閉じられたこと検知した場合、ＣＰＵ１１は、処理をＳ１０２に移行し、画面７１に代えて、待機画面５１をＬＣＤ１６に表示させる。
【００７３】
図１１および図１２は、制御プログラム１２ａに従い、ＣＰＵ１１が実行するエラー表示処理を示すフローチャートである。本処理は、ＣＤＳ１にエラーが発生した場合に開始される。なお、エラーが発生した場合、上述したメイン処理の実行は待機される。まず、ＣＰＵ１１が、カバー３が開かれていると判断した場合（Ｓ２０１：Ｙｅｓ）、エラー画面８１をＬＣＤ１６に表示させる（Ｓ２０２）。エラー画面８１が表示されている状態で、ＣＰＵ１１が、カバー３が閉じられたと判断した場合（Ｓ２０３：Ｙｅｓ／上記Ｔ４７に相当）、ＣＰＵ１１は、エラー画面８１に代えて、エラー表示Ｅ２を含む待機画面５１をＬＣＤ１６に表示させる（Ｓ２１１）。
【００７４】
一方、エラー画面８１が表示されている状態で、ＣＰＵ１１が、カバー３が開かれたまま、ユーザの手作業によるエラーの解除を検知した場合（Ｓ２０３：Ｎｏ，Ｓ２０４：Ｙｅｓ／上記Ｔ４１に相当）、ＣＰＵ１１は、処理をメイン処理のＳ１１７に移行する。これにより、エラー画面８１に代わり、待機画面７１がＬＣＤ１６に表示されるとともに、Ｓ１１７からメイン処理が再開される。また、ＣＰＵ１１が、カバー３が開かれたまま、×キー１５ｃに対する操作を受け付けたことに基づき実行する処理によって、発生中のエラーが解除された場合もまた（Ｓ２０４：Ｎｏ，Ｓ２０５：Ｙｅｓ／上記Ｔ４２に相当）、ＣＰＵ１１は、処理をメイン処理のＳ１１７に移行する。
【００７５】
一方、ＣＰＵ１１が、カバー３が開かれたまま、×キー１５ｃに対する操作を受け付けたが、発生中のエラーが解除されず残存する場合（Ｓ２０５：Ｎｏ，Ｓ２０６：Ｙｅｓ／上記Ｔ４３に相当）、エラー画面８１に代えて、エラー表示Ｅ１を含む待機画面７１をＬＣＤ１６に表示させる（Ｓ２０７）。また、ＣＰＵ１１が、カバー３が開かれたまま、発生中のエラーが残存し、かつ、×キー１５ｃに対する操作を受け付けることもなければ（Ｓ２０６：Ｎｏ）、ＣＰＵ１１は、処理をＳ２０３に戻す。
【００７６】
エラー表示Ｅ１を含む待機画面７１が表示されている状態で、ＣＰＵ１１が、詳細キーＥ１ａに対するタッチ操作を受け付けた場合（Ｓ２０８：Ｙｅｓ／上記Ｔ４４に相当）、ＣＰＵ１１は、処理をＳ２０２に戻す。これにより、エラー表示Ｅ１を含む待機画面７１に代わり、エラー画面８１がＬＣＤ１６に表示される。一方、ＣＰＵ１１が、詳細キーＥ１ａに対するタッチ操作を受け付けることなく、ユーザの手作業によるエラーの解除を検知した場合（Ｓ２０８：Ｎｏ，Ｓ２０９：Ｙｅｓ／上記Ｔ４５に相当）、ＣＰＵ１１は、処理をメイン処理のＳ１１７に移行する。これにより、エラー表示Ｅ１を含む待機画面７１に代わり、待機画面７１がＬＣＤ１６に表示されるとともに、Ｓ１１７からメイン処理が再開される。
【００７７】
ＣＰＵ１１が、Ｓ２０９においてエラーの解除を検知することなく、カバー３が閉じられたと判断した場合（Ｓ２０９：Ｎｏ，Ｓ２１０：Ｙｅｓ／上記Ｔ４６に相当）、ＣＰＵ１１は、エラー表示Ｅ１を含む待機画面７１に代えて、エラー表示Ｅ２を含む待機画面５１をＬＣＤ１６に表示させる（Ｓ２１１）。一方、Ｓ２１０において、ＣＰＵ１１が、カバーが開かれたままであると判断した場合（Ｓ２１０：Ｎｏ）、ＣＰＵ１１は、処理をＳ２０８に戻す。エラー表示Ｅ２を含む待機画面５１が表示されている状態で、ＣＰＵ１１が、カバー３が開かれたと判断した場合（Ｓ２１２：Ｙｅｓ／上記Ｔ４８に相当）、ＣＰＵ１１は、処理をＳ２０２に戻す。これにより、エラー表示Ｅ２を含む待機画面５１に代わり、エラー画面８１がＬＣＤ１６に表示される。一方、Ｓ２１２において、ＣＰＵ１１が、カバーが閉じられたままであると判断した場合（Ｓ２１２：Ｎｏ）、ＣＰＵ１１は、カバー３が閉じられるのを待機する。
【００７８】
一方、Ｓ２０１において、ＣＰＵ１１が、カバー３が閉じられていると判断した場合（Ｓ２０１：Ｎｏ）、エラー画面９１をＬＣＤ１６に表示させる（Ｓ３０１）。エラー画面９１が表示されている状態で、ＣＰＵ１１が、カバー３が閉じられたまま、ユーザの手作業によるエラーの解除を検知した場合（Ｓ３０２：Ｙｅｓ／上記Ｔ５１に相当）、ＣＰＵ１１は、処理をメイン処理のＳ１０２に移行する。これにより、エラー画面９１に代わり、待機画面５１がＬＣＤ１６に表示されるとともに、Ｓ１０２からメイン処理が再開される。また、ＣＰＵ１１が、カバー３が閉じられたまま、Ｃａｎｃｅｌキー９１ｂに対するタッチ操作を受け付けたことに基づき実行する処理によって、発生中のエラーが解除された場合もまた（Ｓ３０２：Ｎｏ，Ｓ３０３：Ｙｅｓ／上記Ｔ５２に相当）、ＣＰＵ１１は、処理をメイン処理のＳ１０２に移行する。
【００７９】
一方、カバー３が開かれることなく、ＣＰＵ１１が、Ｃａｎｃｅｌキー９１ｂに対するタッチ操作を受け付けたが、発生中のエラーが解除されず残存する場合（Ｓ３０３：Ｎｏ，Ｓ３０４：Ｙｅｓ／上記Ｔ５３に相当）、ＣＰＵ１１は、エラー画面９１に代えて、エラー表示Ｅ３を含む待機画面５１をＬＣＤ１６に表示させる（Ｓ３２０）。エラー表示Ｅ３を含む待機画面５１が表示されている状態で、ＣＰＵ１１が、詳細キーＥ３ａに対するタッチ操作を受け付けた場合（Ｓ３２１：Ｙｅｓ／上記Ｔ５４に相当）、ＣＰＵ１１は、処理をＳ３０１に戻す。これにより、エラー表示Ｅ３を含む待機画面５１に代わり、エラー画面９１がＬＣＤ１６に表示される。一方、ＣＰＵ１１が、詳細キーＥ３ａに対するタッチ操作を受け付けていない場合（Ｓ３２１：Ｎｏ）、ＣＰＵ１１は、詳細キーＥ３ａに対するタッチ操作を待機する。
【００８０】
エラー画面９１が表示された状態で、カバー３が開かれることなく、ＣＰＵ１１が、発生中のエラーが残存し、かつ、Ｃａｎｃｅｌキー９１ｂに対するタッチ操作も受け付けていない場合（Ｓ３０４：Ｎｏ，Ｓ３０５：Ｎｏ）、ＣＰＵ１１は、処理をＳ３０２に戻す。一方、Ｓ３０５において、ＣＰＵ１１が、カバー３が開かれたと判断した場合（Ｓ３０５：Ｙｅｓ／上記Ｔ５５に相当）、ＣＰＵ１１は、本体部２の上面に設けられた操作キー１５（キー１５ａ〜１５ｃ）を操作可能な状態（有効な状態）にするとともに、当該操作キー１５のバックライト（図示せず）を点灯させる（Ｓ３０６）。かかる場合、カバー３が開かれても、エラー画面９１はそのまま継続して表示される。
【００８１】
カバー３が開かれ、エラー画面９１が表示されている状態で、ＣＰＵ１１が、カバー３が閉じられたと判断した場合（Ｓ３０７：Ｙｅｓ／上記Ｔ５６に相当）、ＣＰＵ１１は、本体部２の上面に設けられた操作キー１５（キー１５ａ〜１５ｃ）を無効な状態にするとともに、当該操作キー１５のバックライトを消灯させ（Ｓ３２２）、処理をＳ３０２に移行する。かかる場合もまた、エラー画面９１はそのまま継続して表示される。一方、カバー３が開かれ、エラー画面９１が表示されている状態で、ＣＰＵ１１が、Ｃａｎｃｅｌキー９１ｂまたは×キー１５ｃに対する操作を受け付けたことに基づき実行する処理によって、発生中のエラーが解除された場合（Ｓ３０７：Ｎｏ，Ｓ３０８：Ｙｅｓ／上記Ｔ５７に相当）、ＣＰＵ１１は、エラー画面９１に代えて、画面９４をＬＣＤ１６に表示させる（Ｓ３２３）。画面９４が表示されている状態で、ＣＰＵ１１が、カバー３が閉じられたと判断した場合（Ｓ３２４：Ｙｅｓ／上記Ｔ５８に相当）、ＣＰＵ１１は、処理をメイン処理のＳ１０２に移行する。これにより、画面９４に代わり、待機画面５１がＬＣＤ１６に表示されるとともに、Ｓ１０２からメイン処理が再開される。一方、Ｓ３２４において、ＣＰＵ１１が、カバー３が閉じられたままであると判断した場合（Ｓ３２４：Ｎｏ）、ＣＰＵ１１は、カバー３が閉じられるのを待機する。
【００８２】
カバー３が開かれた状態でエラー画面９１が表示されている状態で、ＣＰＵ１１が、Ｃａｎｃｅｌキー９１ｂまたは×キー１５ｃに対する操作を受け付けたが、発生中のエラーが解除されず残存する場合（Ｓ３０８：Ｎｏ，Ｓ３０９：Ｙｅｓ／上記Ｔ５９に相当）、ＣＰＵ１１は、エラー画面９１に代えて、画面９５をＬＣＤ１６に表示させる（Ｓ３２５）。画面９５が表示されている状態で、ＣＰＵ１１が、カバー３が閉じられたと判断した場合（Ｓ３２５：Ｙｅｓ／上記Ｔ６０に相当）、ＣＰＵ１１は、処理をＳ３２０に戻す。これにより、画面９５に代わり、エラー表示Ｅ３を含む待機画面５１がＬＣＤ１６に表示される。一方、Ｓ３２５において、ＣＰＵ１１が、カバー３が閉じられたままであると判断した場合（Ｓ３２５：Ｎｏ）、ＣＰＵ１１は、カバー３が閉じられるのを待機する。
【００８３】
カバー３が開かれた状態でエラー画面９１が表示されている状態で、ＣＰＵ１１が、Ｃａｎｃｅｌキー９１ｂまたは×キー１５ｃに対する操作を受け付けることなく、ユーザの手作業によるエラーの解除を検知した場合（Ｓ３０９：Ｎｏ，Ｓ３１０：Ｙｅｓ／上記Ｔ６１に相当）、ＣＰＵ１１は、エラー画面９１に代えて、画面９２をＬＣＤ１６に表示させる（Ｓ３１１）。一方、Ｓ３１０において、ＣＰＵ１１が、ユーザの手作業によるエラーの解除を検知していない場合（Ｓ３１０：Ｎｏ）、ＣＰＵ１１は、処理をＳ３０８に戻す。
【００８４】
画面９２が表示されている状態で、ＣＰＵ１１が、カバーが閉じられたと判断した場合（Ｓ３１２：Ｙｅｓ：上記Ｔ６２に相当）、ＣＰＵ１１は、画面９２に代えて、画面９３をＬＣＤ１６に表示させる（Ｓ３１７）。一方、画面９２が表示されている状態で、ＣＰＵ１１がＨｏｍｅキー１５ｂに対する操作を受け付け、かつ、カード検知センサ２１および排出完了センサ（図示せず）からの入力信号に基づき、カードＣが第１経路Ｖ１上に存在しないと判断した場合（Ｓ３１３：Ｙｅｓ，Ｓ３１４：Ｎｏ／上記Ｔ６４に相当）、ＣＰＵ１１は、処理をメイン処理のＳ１１７に移行する。これにより、画面９２に代わり、待機画面７１がＬＣＤ１６に表示されるとともに、Ｓ１１７からメイン処理が再開される。なお、図示されない排出完了センサは、経路１０２における排出口２ａの近傍に設けられ、排出口２ａから原稿（カードＣ，ドキュメントＤ）の排出が完了したことを検知する光学的センサなどの周知のセンサである。排出完了センサは、例えば、搬送されるカードＣの搬送方向先端を検知すると、ハイの信号をＣＰＵ１１に出力し、その後、カードＣが検知されなくなると、ローの信号をＣＰＵ１１に出力する。ＣＰＵ１１は、カード検知センサ２１からの入力信号に基づき、カードＣが挿入されたと判断した後、排出完了センサから入力される信号の立ち下がりを検出した場合、カードＣの排出が完了した（すなわち、カードＣが第１経路Ｖ１上に存在しない）と判断する。
【００８５】
また、画面９２が表示されている状態で、ＣＰＵ１１がＨｏｍｅキー１５ｂに対する操作を受け付け、かつ、カードＣが第１経路Ｖ１上に存在すると判断した場合（Ｓ３１４：Ｙｅｓ／上記Ｔ６５に相当）、ＣＰＵ１１は、画面９２に代えて、エラー表示Ｅ４を含む待機画面７１をＬＣＤ１６に表示させる（Ｓ３１５）。エラー表示Ｅ４を含む待機画面７１が表示されている状態で、ＣＰＵ１１が、カバー３が閉じられたと判断した場合（Ｓ３１６：Ｙｅｓ／上記Ｔ６６に相当）、ＣＰＵ１１は、処理をＳ３１７に移行する。これにより、エラー表示Ｅ４を含む待機画面７１に代わり、画面９３がＬＣＤ１６に表示される。一方、Ｓ３１６において、ＣＰＵ１１が、カバー３が開かれたままであると判断した場合（Ｓ３１６：Ｎｏ）、ＣＰＵ１１は、カバー３が閉じられるのを待機する。
【００８６】
画面９３が表示されている状態で、ＣＰＵ１１が、ＯＫボタン９３ａに対するタッチ操作を受け付けた場合（Ｓ３１８：Ｙｅｓ／上記Ｔ６３に相当）、ＣＰＵ１１は、Ｓ１２９の処理と同様に、カードＣを排出口２ａ１から排出させ（Ｓ３１９）、ＣＰＵ１１は、処理をメイン処理のＳ１０２に移行する。これにより、画面９３に代わり、待機画面５１がＬＣＤ１６に表示されるとともに、Ｓ１０２からメイン処理が再開される。一方、ＣＰＵ１１が、ＯＫボタン９３ａに対するタッチ操作を受け付けていないと判断した場合（Ｓ３１８：Ｎｏ）、ＣＰＵ１１は、ＯＫボタン９３ａに対するタッチ操作を待機する。
【００８７】
本実施形態のＣＤＳ１によれば、読取機能（スキャン機能）において使用可能な機能のうち、カバー３の開閉状態に応じて異なるツリー構造の画面が表示される。よって、ユーザは、カバー３の開閉状態に応じて読み取り可能な原稿の種類（カードＣ，ドキュメントＤ）に特有な機能を明確に認識しながら使用することができ、各機能を使い易い。
【００８８】
上記各実施形態において、ＣＤＳ１が、画像読取装置の一例である。画像読取センサ１８が、読取部の一例である。カバー３が、切替部の一例である。ＬＣＤ１６が、表示部の一例である。ＣＰＵ１１が、制御部、表示制御手段の一例である。カバー開閉検知センサ２０が、検知部の一例である。カバー３が、カバーの一例である。Ｂａｃｋキー１５ａ，Ｈｏｍｅキー１５ｂ，×キー１５ｃが、第１操作子の一例である。Ｂａｃｋキー１５ａが、読取設定値を設定する場合に使用可能な操作子の一例である。設定登録キー５１ｂが、第２操作子の一例である。×キー１５ｃが、第１の解除操作子の一例である。Ｃａｎｃｅｌキー９１ｂが、第２の解除操作子の一例である。カードＣの読み取りに係るツリー構造の画面群およびドキュメントＤの読み取りに係るツリー構造の画面群のうち、一方が第１画面の一例であり、他方が第２画面の一例である。第１経路Ｖ１および第２経路Ｖ２のうち、一方の経路が第１経路の一例であり、他方の経路が第２経路の一例である。待機画面５１および待機画面７１が、最上位の画面の一例である。画面５６および画面５７が、第１画面に属する設定画面の一例である。エラー画面９１が、第２の解除操作子を含むエラー画面の一例である。エラー画面８１が、第２の解除操作子を含まないエラー画面の一例である。エラー表示Ｅ１，Ｅ３が、エラーが発生していることを示唆する表示の一例である。
【００８９】
以上、実施形態に基づき本発明を説明したが、本発明は上述した実施形態に何ら限定されるものではなく、本発明の趣旨を逸脱しない範囲内で種々の改良変更が可能であることは容易に推察できるものである。例えば、上記実施形態では、画像読取装置の一例として、単機能のスキャナ装置であるＣＤＳ１を例示したが、読取機能（スキャン機能）以外の機能も有する多機能周辺装置（複合機）も画像読取装置の一例となり得る。
【００９０】
上記実施形態では、カバー３の開閉に応じて、読取対象とする原稿の搬送経路を、第１経路Ｖ１と第２経路Ｖ２とで切り替える構成としたが、第１経路Ｖ１と第２経路Ｖ２との切り替えは、例えば、専用の切り替えボタンを設け、当該ボタンの状態に応じて搬送経路を切り替える構成としてもよい。なお、かかる切り替えボタンは、ハードキーであっても、ソフトキーであってもよい。また、カード検知センサ２１の検知によって搬送ローラ１０４，１０５が原稿（カードＣ）を挟持したか否かや、カード検知センサ２１またはドキュメント検知センサ２２のどちらで原稿が検知されたかに応じて、搬送経路を切り替える構成としてもよい。例えば、カードＣが搬送ローラ１０４，１０５に挟持された場合に、搬送経路を第１経路Ｖ１に切り替え、カードＣが排出されて搬送ローラ１０４，１０５に挟持されなくなった場合に、搬送経路を第２経路Ｖ２に切り替えるようにしてもよい。
【００９１】
上記実施形態では、カバー３の開閉に応じて、読取対象とする原稿の搬送経路を、第１経路Ｖ１と第２経路Ｖ２とで切り替え、各搬送経路に応じて、すなわち、原稿の種類に応じて、読み取りに係るツリー構造の画面群を異ならせる構成とした。搬送経路の違いに限らず、原稿の供給方法の違いに応じて、読み取りに係るツリー構造の画面群を異ならせる構成としてもよい。例えば、画像読取装置が、原稿台とＡＤＦとを有する場合に、ユーザにより原稿台に供給されたカードＣを読み取る場合と、ＡＤＦにより供給されたドキュメントＤを読み取る場合とで、読み取りに係るツリー構造の画面群を異ならせてもよい。かかる場合、例えば、カバーの開閉などによって、カードＣの読み取りであるか、ドキュメントＤの読み取りであるかを判断できる。あるいは、例えば、画像読取センサ１８が着脱可能に構成される場合、画像読取センサ１８が装着されているか否かによって、カードＣの読み取りであるか、ドキュメントＤの読み取りであるかを判断できる。
【００９２】
上記実施形態において、待機画面５１などの各種画面を、ＣＤＳ１に設けられたＬＣＤ１６に表示させる構成としたが、ＣＤＳ１に接続されたＰＣなどの外部装置のディスプレイに表示させる構成としてもよい。かかる場合、外部装置のディスプレイに表示された画面に対して設定や指示をＣＤＳ１に入力する構成としてもよい。
【００９３】
上記実施形態では、ＣＤＳ１は、カバー３を閉じた状態で、挿入口２ｂから挿入されたカードＣを読み取り、カバー３を開いた状態で、挿入口２ｃから挿入されたドキュメントＤを読み取るスキャナとして構成したが、カバー３の開閉状態に応じて読み取り可能な原稿は、カードＣとドキュメントＤとに限らず、例えば、両方がドキュメントであったり、両方がカードであったりしてもよい。
【００９４】
上記実施形態では、本体部２の上面に設けられる操作キー１５（１５ａ〜１５ｃ）が全て、カバー３を閉じた場合に覆われる位置に設けられる構成としたが、本体部２の上面に設けられる操作キー１５の一部が、カバー３を閉じた場合であっても、カバー３によって覆われず露出する構成としてもよい。例えば、カバー３を閉じた場合に、開口３ｃから露出される操作キー１５があってもよい。カバー３を閉じた場合であっても露出される操作キー１５がある場合、当該操作キー１５に対応するソフトキーはＬＣＤ１６に表示させないようにしてもよい。
【符号の説明】
【００９５】
１        ＣＤＳ
１２ａ    制御プログラム
【図１】
2014086960.tif 000003
【図２】
2014086960.tif 000004
【図３】
2014086960.tif 000005
【図４】
2014086960.tif 000006
【図５】
2014086960.tif 000007
【図６】
2014086960.tif 000008
【図７】
2014086960.tif 000009
【図８】
2014086960.tif 000010
【図９】
2014086960.tif 000011
【図１０】
2014086960.tif 000012
【図１１】
2014086960.tif 000013
【図１２】
2014086960.tif 000014